(57)【要約】【課題】  電子ペーパーに記録される画像の画質を向上させることにある。【解決手段】  電子ペーパーが二つの部材の間に位置する際に、電子ペーパーに画像が表示される。上記表示のための処理を複数回（第一処理及び第二処理）行うが、第一処理においては、電子ペーパーの第一面及び該第一面の裏側の第二面がそれぞれ第一部材側及び第二部材側に位置する状態で処理を行い、第二処理においては、第一面及び第二面がそれぞれ第二部材側及び第一部材側に位置する状態で処理を行う。【選択図】図３
2011237540.tif 000002
【特許請求の範囲】
【請求項１】
潜像を担持する像担持体と、
前記潜像を前記像担持体に形成する潜像形成部と、
前記像担持体と対向する対向部材と、
第一面及び該第一面の裏側の第二面を有し着色帯電粒子が厚み方向に移動することにより画像を表示する電子ペーパーを、前記像担持体と前記対向部材との間に供給する供給部と、
前記間に前記厚み方向に沿う電界を発生させて前記着色帯電粒子を前記厚み方向に移動させることにより、前記潜像に対応する画像を前記電子ペーパーに表示させる電界発生部と、
前記第一面及び前記第二面がそれぞれ前記像担持体側及び前記対向部材側に位置する状態での前記電子ペーパーの前記間への供給を前記供給部に行なわせることにより、前記電子ペーパーの互いに異なる部位を前記間に順次送り込み、かつ、前記潜像としての第一潜像を前記潜像形成部に形成させ、前記電界発生部を制御することにより前記間に送り込まれた前記部位に前記第一潜像に対応する画像を順次表示させる第一処理と、
前記第一面及び前記第二面がそれぞれ前記対向部材側及び前記像担持体側に位置する状態での前記電子ペーパーの前記間への供給を前記供給部に行なわせることにより、前記間を一旦抜けた前記部位を前記間に再度順次送り込み、かつ、前記第一潜像を反転させた第二潜像を前記潜像形成部に形成させ、前記電界発生部を制御することにより前記間に送り込まれた前記部位に前記第二潜像に対応する画像を順次表示させる第二処理と、を実行するコントローラーと、
を有することを特徴とする電子ペーパーへの画像記録装置。
【請求項２】
請求項１に記載の電子ペーパーへの画像記録装置において、
前記像担持体として第一像担持体及び第二像担持体を有し、
前記対向部材として、前記第一像担持体と対向し該第一像担持体よりも下方に位置する第一対向部材及び前記第二像担持体と対向し該第二像担持体よりも上方に位置する第二対向部材を有し、
前記供給部は、前記第一像担持体と前記第一対向部材との間である第一間隙及び前記第二像担持体と前記第二対向部材との間である第二間隙に前記電子ペーパーを供給し、
前記コントローラーは、
前記第一間隙及び前記第二間隙のうちの一方への前記電子ペーパーの供給を前記供給部に行なわせることにより、前記電子ペーパーの互いに異なる部位を前記一方に順次送り込み、かつ、前記一方に送り込まれた前記部位に前記第一潜像に対応する画像を順次表示させる第一処理と、
前記第一間隙及び前記第二間隙のうちの他方への前記電子ペーパーの供給を前記供給部に行なわせることにより、前記一方を一旦抜けた前記部位を前記他方に順次送り込み、かつ、前記他方に送り込まれた前記部位に前記第二潜像に対応する画像を順次表示させる第二処理と、を実行することを特徴とする電子ペーパーへの画像記録装置。
【請求項３】
請求項１に記載の電子ペーパーへの画像記録装置において、
前記供給部は、
前記第一面及び前記第二面がそれぞれ前記像担持体側及び前記対向部材側に位置する状態での前記電子ペーパーの前記間への前記供給を行なってから、
該電子ペーパーを裏返して、前記第一面及び前記第二面がそれぞれ前記対向部材側及び前記像担持体側に位置する状態での前記電子ペーパーの前記間への前記供給を行なうことを特徴とする電子ペーパーへの画像記録装置。
【請求項４】
着色帯電粒子が厚み方向に移動することにより画像を表示する電子ペーパーの第一面及び該第一面の裏側の第二面が、潜像を担持する像担持体側及び前記像担持体と対向する対向部材側にそれぞれ位置する状態での、前記電子ペーパーの前記像担持体と前記対向部材との間への供給を、供給部に行なわせることにより、前記電子ペーパーの互いに異なる部位を前記間に順次送り込み、かつ、
前記潜像としての第一潜像を潜像形成部に形成させ、
前記間に前記厚み方向に沿う電界を発生させて前記着色帯電粒子を前記厚み方向に移動させることにより、前記間に送り込まれた前記部位に前記第一潜像に対応する画像を順次表示させることと、
前記第一面及び前記第二面が前記対向部材側及び前記像担持体側にそれぞれ位置する状態での前記電子ペーパーの前記間への供給を前記供給部に行なわせることにより、前記間を一旦抜けた前記部位を前記間に再度順次送り込み、かつ、
前記第一潜像を反転させた第二潜像を前記潜像形成部に形成させ、
前記間に前記厚み方向に沿う電界を発生させて前記着色帯電粒子を前記厚み方向に移動させることにより、前記間に送り込まれた前記部位に前記第二潜像に対応する画像を順次表示させることと、
を有することを特徴とする電子ペーパーへの画像形成方法。
【発明の詳細な説明】
【技術分野】
【０００１】
本発明は、電子ペーパーへの画像記録装置、及び、電子ペーパーへの画像記録方法に関する。
【背景技術】
【０００２】
第一面及び該第一面の裏側の第二面を有し着色帯電粒子が厚み方向に移動することにより画像を表示する電子ペーパーは既によく知られている。そして、当該電子ペーパーへの画像の記録が、潜像を担持する像担持体と、潜像を像担持体に形成する潜像形成部と、像担持体と対向する対向部材と、電子ペーパーを像担持体と対向部材との間に供給する供給部と、前記間に前記厚み方向に沿う電界を発生させて着色帯電粒子を厚み方向に移動させることにより、潜像に対応する画像を電子ペーパーに表示させる電界発生部と、を備える画像記録装置により行なわれる場合がある。
【先行技術文献】
【特許文献】
【０００３】
【特許文献１】特開２００９−２５１０４８号公報
【発明の概要】
【発明が解決しようとする課題】
【０００４】
ところで、前記画像記録装置により電子ペーパーに画像が記録される際に、画像の形状によっては、該画像が適切に記録されない場合があった。例えば、当該画像として、罫線を記録する際に、罫線が細く記録される場合があった。そして、かかる場合には、電子ペーパーに記録される画像の画質が悪化することとなっていた。
【０００５】
本発明は、かかる課題に鑑みてなされたものであり、その目的とするところは、電子ペーパーに記録される画像の画質を向上させることにある。
【課題を解決するための手段】
【０００６】
主たる本発明は、潜像を担持する像担持体と、
前記潜像を前記像担持体に形成する潜像形成部と、
前記像担持体と対向する対向部材と、
第一面及び該第一面の裏側の第二面を有し着色帯電粒子が厚み方向に移動することにより画像を表示する電子ペーパーを、前記像担持体と前記対向部材との間に供給する供給部と、
前記間に前記厚み方向に沿う電界を発生させて前記着色帯電粒子を前記厚み方向に移動させることにより、前記潜像に対応する画像を前記電子ペーパーに表示させる電界発生部と、
前記第一面及び前記第二面がそれぞれ前記像担持体側及び前記対向部材側に位置する状態での前記電子ペーパーの前記間への供給を前記供給部に行なわせることにより、前記電子ペーパーの互いに異なる部位を前記間に順次送り込み、かつ、前記潜像としての第一潜像を前記潜像形成部に形成させ、前記電界発生部を制御することにより前記間に送り込まれた前記部位に前記第一潜像に対応する画像を順次表示させる第一処理と、
前記第一面及び前記第二面がそれぞれ前記対向部材側及び前記像担持体側に位置する状態での前記電子ペーパーの前記間への供給を前記供給部に行なわせることにより、前記間を一旦抜けた前記部位を前記間に再度順次送り込み、かつ、前記第一潜像を反転させた第二潜像を前記潜像形成部に形成させ、前記電界発生部を制御することにより前記間に送り込まれた前記部位に前記第二潜像に対応する画像を順次表示させる第二処理と、を実行するコントローラーと、
を有することを特徴とする電子ペーパーへの画像記録装置である。  
本発明の他の特徴については、本明細書及び添付図面の記載により明らかにする。
【図面の簡単な説明】
【０００７】
【図１】電子ペーパー１００の構成を模式的に示す断面図である。
【図２】黒像部及び白像部における着色帯電粒子の様子を示した模式図である。
【図３】画像記録装置１の概略断面図である。
【図４】画像記録装置１のブロック図である。
【図５】第一対向ローラー５２ａに印加される印加電圧を示した図である。
【図６】不適切記録問題を説明するための説明図である。
【図７】不適切な記録が軽減される理由を説明するための説明図である。
【図８】第二実施形態に係る画像記録装置１の概略断面図である。
【発明を実施するための形態】
【０００８】
本明細書及び添付図面の記載により、少なくとも次のことが明らかにされる。
【０００９】
潜像を担持する像担持体と、
前記潜像を前記像担持体に形成する潜像形成部と、
前記像担持体と対向する対向部材と、
第一面及び該第一面の裏側の第二面を有し着色帯電粒子が厚み方向に移動することにより画像を表示する電子ペーパーを、前記像担持体と前記対向部材との間に供給する供給部と、
前記間に前記厚み方向に沿う電界を発生させて前記着色帯電粒子を前記厚み方向に移動させることにより、前記潜像に対応する画像を前記電子ペーパーに表示させる電界発生部と、
前記第一面及び前記第二面がそれぞれ前記像担持体側及び前記対向部材側に位置する状態での前記電子ペーパーの前記間への供給を前記供給部に行なわせることにより、前記電子ペーパーの互いに異なる部位を前記間に順次送り込み、かつ、前記潜像としての第一潜像を前記潜像形成部に形成させ、前記電界発生部を制御することにより前記間に送り込まれた前記部位に前記第一潜像に対応する画像を順次表示させる第一処理と、
前記第一面及び前記第二面がそれぞれ前記対向部材側及び前記像担持体側に位置する状態での前記電子ペーパーの前記間への供給を前記供給部に行なわせることにより、前記間を一旦抜けた前記部位を前記間に再度順次送り込み、かつ、前記第一潜像を反転させた第二潜像を前記潜像形成部に形成させ、前記電界発生部を制御することにより前記間に送り込まれた前記部位に前記第二潜像に対応する画像を順次表示させる第二処理と、を実行するコントローラーと、
を有することを特徴とする電子ペーパーへの画像記録装置。  
かかる電子ペーパーへの画像記録装置によれば、電子ペーパーに記録される画像の画質を向上させることが可能となる。
【００１０】
また、前記像担持体として第一像担持体及び第二像担持体を有し、
前記対向部材として、前記第一像担持体と対向し該第一像担持体よりも下方に位置する第一対向部材及び前記第二像担持体と対向し該第二像担持体よりも上方に位置する第二対向部材を有し、
前記供給部は、前記第一像担持体と前記第一対向部材との間である第一間隙及び前記第二像担持体と前記第二対向部材との間である第二間隙に前記電子ペーパーを供給し、
前記コントローラーは、
前記第一間隙及び前記第二間隙のうちの一方への前記電子ペーパーの供給を前記供給部に行なわせることにより、前記電子ペーパーの互いに異なる部位を前記一方に順次送り込み、かつ、前記一方に送り込まれた前記部位に前記第一潜像に対応する画像を順次表示させる第一処理と、
前記第一間隙及び前記第二間隙のうちの他方への前記電子ペーパーの供給を前記供給部に行なわせることにより、前記一方を一旦抜けた前記部位を前記他方に順次送り込み、かつ、前記他方に送り込まれた前記部位に前記第二潜像に対応する画像を順次表示させる第二処理と、を実行することとしてもよい。  
かかる場合には、裏返し部のような機構を設ける必要がない。
【００１１】
また、前記供給部は、
前記第一面及び前記第二面がそれぞれ前記像担持体側及び前記対向部材側に位置する状態での前記電子ペーパーの前記間への前記供給を行なってから、
該電子ペーパーを裏返して、前記第一面及び前記第二面がそれぞれ前記対向部材側及び前記像担持体側に位置する状態での前記電子ペーパーの前記間への前記供給を行なうこととしてもよい。  
かかる場合には、記録部を一つのみにすることができる。
【００１２】
次に、着色帯電粒子が厚み方向に移動することにより画像を表示する電子ペーパーの第一面及び該第一面の裏側の第二面が、潜像を担持する像担持体側及び前記像担持体と対向する対向部材側にそれぞれ位置する状態での、前記電子ペーパーの前記像担持体と前記対向部材との間への供給を、供給部に行なわせることにより、前記電子ペーパーの互いに異なる部位を前記間に順次送り込み、かつ、
前記潜像としての第一潜像を潜像形成部に形成させ、
前記間に前記厚み方向に沿う電界を発生させて前記着色帯電粒子を前記厚み方向に移動させることにより、前記間に送り込まれた前記部位に前記第一潜像に対応する画像を順次表示させることと、
前記第一面及び前記第二面が前記対向部材側及び前記像担持体側にそれぞれ位置する状態での前記電子ペーパーの前記間への供給を前記供給部に行なわせることにより、前記間を一旦抜けた前記部位を前記間に再度順次送り込み、かつ、
前記第一潜像を反転させた第二潜像を前記潜像形成部に形成させ、
前記間に前記厚み方向に沿う電界を発生させて前記着色帯電粒子を前記厚み方向に移動させることにより、前記間に送り込まれた前記部位に前記第二潜像に対応する画像を順次表示させることと、
を有することを特徴とする電子ペーパーへの画像形成方法。  
かかる電子ペーパーへの画像記録方法によれば、電子ペーパーに記録される画像の画質を向上させることが可能となる。
【００１３】
＝＝＝画像記録装置１の構成例について＝＝＝
次に、電子ペーパー１００への画像記録装置、すなわち、電子ペーパー１００に画像を記録する画像記録装置１の構成例について、説明する。  
以下では、画像記録装置１の説明に先立って、先ず、電子ペーパー１００の構成について説明する。そして、これに引き続いて、画像記録装置１の構成について説明する。
【００１４】
＜＜＜電子ペーパー１００の構成例について＞＞＞
ここでは、電子ペーパー１００の構成例について、図１及び図２を用いて説明する。図１は、電子ペーパー１００の構成を模式的に示す断面図である。図２は、黒像部及び白像部における着色帯電粒子の様子を示した模式図である。
【００１５】
電子ペーパー１００は、着色帯電粒子を有し、該着色帯電粒子が厚み方向に移動することにより画像を表示するものである。換言すれば、電子ペーパー１００は、着色された電気泳動粒子の電気泳動を利用して画像の表示を行う。
【００１６】
図１に示すように、本実施の形態に係る電子ペーパー１００は、表示層１０３と、表示層１０３の上面に設けられた上側絶縁層１４１と、表示層１０３の下面に設けられた下側絶縁層１４２と、封止部１０７と、を備えている。
【００１７】
電子ペーパー１００では、上側絶縁層１４１が第一面の一例としての表示面１２１を構成しており、上側絶縁層１４１を介して表示層１０３が視認されることにより、画像を認識することができるようになっている（一方、下側絶縁層１４２は、表示面１２１の裏側の第二面の一例としての裏側面１２３を構成している）。また、電子ペーパー１００は、可撓性を有するもの、有さないもののいずれであってもよいが、本実施の形態に係る電子ペーパー１００は、可撓性を有している。
【００１８】
表示層１０３は、着色帯電粒子の一例としての負帯電黒色粒子及び正帯電白色粒子の収容部であるマイクロカプセル１３１とバインダ１３２とを有しており、複数のマイクロカプセル１３１がバインダ１３２で固定（保持）されることにより構成されている。また、複数のマイクロカプセル１３１は、上側絶縁層１４１と下側絶縁層１４２との間に、縦横に並列するように単層で（厚さ方向に重なることなく１個ずつ）配設されている。
【００１９】
各マイクロカプセル１３１は、殻体であるカプセル本体１３３を有しており、その内部（内部空間）には、電気泳動分散液が充填（封入）されている。カプセル本体１３３内に充填された電気泳動分散液は、正帯電白色粒子と負帯電黒色粒子とを液相分散媒に分散（懸濁）してなるものである。正帯電白色粒子及び負帯電黒色粒子の液相分散媒への分散については、ペイントシェーカー法、ボールミル法、メディアミル法、超音波分散法、攪拌分散法等のうちの１種または２種以上を組み合わせて行なうことができる。
【００２０】
正帯電白色粒子は、正に帯電する白色の電気泳動粒子であり、負帯電黒色粒子は、負に帯電する黒色の電気泳動粒子である。このように、正帯電白色粒子と負帯電黒色粒子とを用いることにより、電子ペーパー１００における白黒表示が可能となる。なお、本実施の形態においては、負帯電黒色粒子の帯電量と比べて、正帯電白色粒子の帯電量が小さくなっている（正帯電白色粒子は微帯電している）。
【００２１】
正帯電白色粒子及び負帯電黒色粒子には、それぞれ、電荷を有するものであれば、いかなるものをも用いることができ、特に限定はされないが、顔料粒子、樹脂粒子またはこれらの複合粒子のうちの少なくとも１種が好適に使用される。
【００２２】
顔料粒子を構成する顔料としては、例えば、アニリンブラック、カーボンブラック、チタンブラック等の黒色顔料、酸化チタン、酸化アンチモン等の白色顔料等が挙げられ、これらのうちの１種または２種以上を組み合わせて用いることができる。このうち、チタンブラックが負帯電黒色粒子として、酸化チタンが正帯電白色粒子として、好適に用いられる（本実施の形態においても、これらが用いられている）。
【００２３】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
【００２４】
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。顔料粒子の表面を他の顔料で被覆した粒子としては、例えば、酸化チタン粒子の表面を、酸化珪素や酸化アルミニウムで被覆したものを例示することができる。
【００２５】
正帯電白色粒子及び負帯電黒色粒子については、液相分散媒中での分散性を考慮した場合、より小さいものが好適に用いられる。具体的には、その平均粒径が、１０〜５００ｎｍ程度であるのが好ましく、２０〜３００ｎｍ程度であるのがより好ましい。正帯電白色粒子及び負帯電黒色粒子の平均粒径を前記範囲とすることにより、正帯電白色粒子と負帯電黒色粒子の凝集や、正帯電白色粒子や負帯電黒色粒子の沈降を防止することができ、正帯電白色粒子及び負帯電黒色粒子を液相分散媒中に分散させた状態を維持することができる。
【００２６】
そして、このような正帯電白色粒子及び負帯電黒色粒子がマイクロカプセル１３１内で電子ペーパー１００の厚み方向に移動することにより、画像が表示されることとなる。
【００２７】
すなわち、詳細については後述するが、当該電子ペーパー１００における黒い像（以下、黒像）を表示させたい部位（黒像部）においては、負帯電黒色粒子が前記厚み方向における上側絶縁層１４１（表示面１２１）側に、正帯電白色粒子が下側絶縁層１４２側に、それぞれ移動し（図２の左図参照）、白い像（以下、白像）を表示させたい部位（白像部）においては、正帯電白色粒子が前記厚み方向における上側絶縁層１４１（表示面１２１）側に、負帯電黒色粒子が下側絶縁層１４２側に、それぞれ移動するように（図２の右図参照）、粒子の移動が制御されることにより、電子ペーパー１００における白黒表示が成される。そして、この粒子の移動制御は、前記画像記録装置１が、前記厚み方向に沿う電界を発生させ、前者の部位においては電界の向きが下向き（上側絶縁層１４１から下側絶縁層１４２へ向かう向き）となり（図２の左図参照）、後者の部位においては電界の向きが上向き（下側絶縁層１４２から上側絶縁層１４１へ向かう向き）となるように（図２の右図参照）、電界の向きを制御することによって実現されることとなる。
【００２８】
なお、正帯電白色粒子及び負帯電黒色粒子の比重は、それぞれ、液相分散媒の比重とほぼ等しくなるように設定されているのが好ましい。これにより、正帯電白色粒子及び負帯電黒色粒子は、電界の作用を受けた後においても、液相分散媒中において一定の位置に長時間滞留することができる。
【００２９】
バインダ１３２は、例えば、上側絶縁層１４１と下側絶縁層１４２とを接合する目的、上側絶縁層１４１と下側絶縁層１４２との間に各マイクロカプセル１３１を固定する目的等により供給される。このバインダ１３２には、上側絶縁層１４１、下側絶縁層１４２およびカプセル本体１３３との親和性（密着性）に優れ、かつ、絶縁性に優れる樹脂材料が好適に使用される。
【００３０】
表示層１０３を間に挟むように対向配置された上側絶縁層１４１及び下側絶縁層１４２は、それぞれ、絶縁性を有するシート状（平板状）の部材で構成されている。このような上側絶縁層１４１及び下側絶縁層１４２は、表示層１０３（マイクロカプセル１３１）を保護する機能を有している。
【００３１】
上側絶縁層１４１は、表示面１２１を構成するために光透過性を有するもの、すなわち、実質的に透明（無色透明、有色透明または半透明）とされる。これにより、表示面１２１側から、表示層１０３の状態（各マイクロカプセル１３１中の正帯電白色粒子及び負帯電黒色粒子の状態）、すなわち電子ペーパー１００に表示された画像（情報）を目視により認識することができる。一方、下側絶縁層１４２については、上側絶縁層１４１のような光透過性の有無は問わない（本実施の形態においては、下側絶縁層１４２は実質的に不透明となっている）。
【００３２】
封止部１０７は、電子ペーパー１００内への水分の浸入を防止して、電子ペーパー１００の表示性能の劣化を抑えるためのものである。封止部１０７は、上側絶縁層１４１と下側絶縁層１４２との間に、それらの縁部に沿うようにして設けられている。そして、この封止部１０７により、表示層１０３が気密的に封止されている。
【００３３】
＜＜＜画像記録装置１の構成例について＞＞＞
次に、画像記録装置１の構成例について、図３及び図４を用いて説明する。図３は、画像記録装置１の概略断面図である。図４は、画像記録装置１のブロック図である。
【００３４】
本実施の形態に係る画像記録装置１は、図３に示すように、２つの記録部１０（以下、第一記録部１０ａ及び第二記録部１０ｂと呼ぶ）、供給部の一例としての供給ユニット６０、及び、これらを制御し画像記録装置１としての動作を司るコントローラー８０（図４参照）を有している。
【００３５】
２つの記録部１０は、それぞれ、潜像を担持する像担持体の一例としての感光体２０、帯電ローラー３２を有する帯電ユニット３０、露光ユニット４０（本実施の形態においては、帯電ユニット３０及び露光ユニット４０が、潜像を像担持体に形成する潜像形成部に相当）、及び、対向部材の一例としての対向ローラー５２と電界発生部の一例としての電圧印加部５４とを有する電界生成ユニット５０を備えている。
【００３６】
具体的には、第一記録部１０ａは、図３に示すように、第一像担持体の一例としての第一感光体２０ａの回転方向に沿って、第一帯電ローラー３２ａを有する第一帯電ユニット３０ａ、第一露光ユニット４０ａ、第一対向部材の一例としての第一対向ローラー５２ａと第一電圧印加部５４ａ（図４参照）とを有する第一電界生成ユニット５０ａを備えている。また、第二記録部１０ｂは、図３に示すように、第二像担持体の一例としての第二感光体２０ｂの回転方向に沿って、第二帯電ローラー３２ｂを有する第二帯電ユニット３０ｂ、第二露光ユニット４０ｂ、第二対向部材の一例としての第二対向ローラー５２ｂと第二電圧印加部５４ｂ（図４参照）とを有する第二電界生成ユニット５０ｂを備えている。
【００３７】
第一記録部１０ａと第二記録部１０ｂとの相違は、感光体２０と対向ローラー５２の位置関係が双方で逆転している点にある。すなわち、図３に示すように、第一記録部１０ａにおいては、第一対向ローラー５２ａが第一感光体２０ａ（加えて、第一帯電ユニット３０ａ、第一露光ユニット４０ａ）よりも下方に位置する（本実施の形態においては、第一対向ローラー５２ａが第一感光体２０ａの真下に位置するが、これに限定されない）のに対し、第二記録部１０ｂにおいては、第二対向ローラー５２ｂが第二感光体２０ｂ（加えて、第二帯電ユニット３０ｂ、第二露光ユニット４０ｂ）よりも上方に位置している（本実施の形態においては、第二対向ローラー５２ｂが第二感光体２０ｂの真上に位置するが、これに限定されない）。そして、供給ユニット６０により、電子ペーパー１００が、第一感光体２０ａと第一対向ローラー５２ａとの間である第一間隙Ｇ１及び第二感光体２０ｂと第二対向ローラー５２ｂとの間である第二間隙Ｇ２に供給されるようになっており（図３参照）、したがって、第一感光体２０ａ（加えて、第一帯電ユニット３０ａ、第一露光ユニット４０ａ）と第二対向ローラー５２ｂとは、電子ペーパー１００よりも上方に、第二感光体２０ｂ（加えて、第二帯電ユニット３０ｂ、第二露光ユニット４０ｂ）と第一対向ローラー５２ａとは、電子ペーパー１００よりも下方に、それぞれ位置するようになっている。そのため、第一記録部１０ａにおいては、電子ペーパー１００の前記表示面１２１及び前記裏側面１２３がそれぞれ第一感光体２０ａ側及び第一対向ローラー５２ａ側に位置する状態での電子ペーパー１００の第一間隙Ｇ１への供給が行なわれ、第二記録部１０ｂにおいては、前記表示面１２１及び前記裏側面１２３がそれぞれ第一対向ローラー５２ａ側及び第一感光体２０ａ側に位置する状態での電子ペーパー１００の第二間隙Ｇ１への供給が行なわれることとなる。
【００３８】
なお、その他の第一記録部１０ａと第二記録部１０ｂの構成は概ね同様であるので、以下では、主として第一記録部１０ａについて説明する。
【００３９】
第一感光体２０ａは、金属製の円筒状の導電性基材と、その外周面に形成され静電気を保持するための樹脂製の感光層と、を有している。この第一感光体２０ａは、中心軸を中心に回転可能であり、本実施の形態においては、図３中の矢印で示すように時計回りに回転する（一方で、第二感光体２０ｂは、図３に示されるように、反時計回りに回転することとなる）。
【００４０】
第一帯電ユニット３０ａは、第一感光体２０ａを帯電させるためのものである。この第一帯電ユニット３０ａは、第一帯電ローラー３２ａを有しており、本実施の形態においては、当該第一帯電ローラー３２ａが、第一感光体２０ａを、Ｖ１＝５００ボルトに帯電させるようになっている。
【００４１】
第一露光ユニット４０ａは、レーザーを照射することによって、帯電された第一感光体２０ａ上に、潜像（本項においては、潜像を、前記黒像部のみならず前記白像部にも対応する像であることとする）を形成するものである。この第一露光ユニット４０ａは、半導体レーザー、ポリゴンミラー、Ｆ−θレンズ等を有しており、パーソナルコンピューター、ワードプロセッサ等の不図示のホストコンピューターから入力された画像信号に基づいて、変調されたレーザーを帯電された第一感光体２０ａ上に照射する。本実施の形態においては、前記白像部に相当する部分にレーザーが照射され、当該部分の電位がＶ１＝５００ボルトからＶ２＝５０ボルトとなる。すなわち、Ｖ２＝５０ボルトの白像部に相当する部分とＶ１＝５００ボルトの黒像部に相当する部分とを有する潜像が得られることとなる。
【００４２】
なお、後に詳述するが、第二記録部１０ｂにおいては、第一記録部１０ａにおいて形成される当該潜像（以下、第一潜像とも呼ぶ）の代わりに、第一潜像を反転させた潜像（以下、第二潜像とも呼ぶ）が形成される。すなわち、第二記録部１０ｂにおいては、前記黒像部に相当する部分にレーザーが照射され、当該部分の電位がＶ１＝５００ボルトからＶ２＝５０ボルトとなり、Ｖ２＝５０ボルトの黒像部に相当する部分とＶ１＝５００ボルトの白像部に相当する部分とを有する潜像が得られることとなる。
【００４３】
第一電界生成ユニット５０ａは、電子ペーパー１００の厚み方向に電界を発生させて、当該電子ペーパー１００の正帯電白色粒子及び負帯電黒色粒子を厚み方向に移動させるためのものである。この第一電界生成ユニット５０ａは、第一対向ローラー５２ａと第一電圧印加部５４ａ（図４参照）とを備えている。
【００４４】
第一対向ローラー５２ａは、第一感光体２０ａと対向する回転可能なローラーである。この第一対向ローラー５２ａは、電子ペーパー１００が第一感光体２０ａと当該第一対向ローラー５２ａとの間に位置する際に、第一感光体２０ａと協働して電子ペーパー１００を挟んで圧接させつつ（換言すれば、第一感光体２０ａと第一対向ローラー５２ａとはニップ部にて電子ペーパー１００を挟んで圧接している）、第一感光体２０ａの回転に伴ってその回転方向とは反対方向に回転する。第一対向ローラー５２ａの、電子ペーパー１００を介して第一感光体２０ａと接触する接触部分は、ゴム製である。
【００４５】
第一電圧印加部５４ａは、電子ペーパー１００が前記間（前記第一間隙Ｇ１）に位置する際に、前記第一対向ローラー５２ａに印加電圧を印加する（すなわち、第一対向ローラー５２ａは、被電圧印加部としての機能を有する）。そして、このことにより、第一感光体２０ａと第一対向ローラー５２ａとの間に電子ペーパー１００の厚み方向に沿う電界を発生させて、電子ペーパー１００の正帯電白色粒子及び負帯電黒色粒子を厚み方向に移動させることにより、前記潜像に対する画像を電子ペーパー１００に表示させる。なお、第一電圧印加部５４ａが（また、第二電圧印加部５４ｂが）具体的にどのような印加電圧を印加するかについては、後に詳述する。
【００４６】
供給ユニット６０は、電子ペーパー１００を、感光体２０と対向ローラー５２との間に、より具体的には、第一感光体２０ａと第一対向ローラー５２ａとの間である第一間隙Ｇ１及び第二感光体２０ｂと第二対向ローラー５２ｂとの間である第二間隙Ｇ２に、供給するためのものである。この供給ユニット６０は、ペーパーカセット６２と、ペーパーカセット６２の上部に位置する給紙ローラー６４と、給紙ローラー６４から見て、感光体２０側に位置する搬送ローラー６６と、不図示の排紙ローラーと、を有している。給紙ローラー６４は、ペーパーカセット６２に収容されている電子ペーパー１００を給紙するローラーである。搬送ローラー６６は、給紙ローラー６４によって給紙された電子ペーパー１００を感光体２０と対向ローラー５２との間に搬送するローラーである。排紙ローラーは、画像が表示された電子ペーパー１００を画像記録装置１から排出するローラーである。これらのローラーは、不図示のモーターにより駆動される。
【００４７】
コントローラー８０は、画像記録装置１の制御を行うための制御ユニット（制御部）である。コントローラー８０は、インターフェイス部８１と、ＣＰＵ８２と、メモリー８３と、ユニット制御回路８４と、を有する。
【００４８】
インターフェイス部８１は、外部装置である前記ホストコンピューターと画像記録装置１との間でデータの送受信を行う。ＣＰＵ８２は、画像記録装置１全体の制御を行うための演算処理装置である。メモリー８３は、ＣＰＵ８２のプログラムを格納する領域や作業領域等を確保するためのものであり、ＲＡＭ、ＥＥＰＲＯＭ等の記憶素子を有する。ＣＰＵ８２は、メモリー８３に格納されるプログラムに従って、ユニット制御回路８４を介して各ユニットを制御する。
【００４９】
＝＝＝画像記録装置１の動作例について＝＝＝
次に、画像記録装置１の動作例、すなわち、画像記録装置１が電子ペーパー１００に画像を記録する際の動作例について、図２、図５乃至図７を用いて説明する。図５は、第一対向ローラー５２ａに印加される印加電圧を示した図である。図６は、不適切記録問題を説明するための説明図である。図７は、不適切な記録が軽減される理由を説明するための説明図である。
【００５０】
なお、画像記録装置１の各種動作は、主としてコントローラー８０により実現される。特に、本実施の形態においては、メモリー８３に格納されたプログラムをＣＰＵ８２が処理することにより実現される。そして、このプログラムは、以下に説明する各種の動作を行うためのコードから構成されている。
【００５１】
ホストコンピューターからの画像信号及び制御信号がインターフェイス部８１を介してコントローラー８０に入力されると、ユニット制御回路８４の制御により、感光体２０が回転する。なお、ペーパーカセット６２には、画像が未表示の電子ペーパー１００が収容されている。
【００５２】
第一感光体２０ａは、回転しながら、帯電位置において第一帯電ユニット３０ａにより、順次Ｖ１＝５００ボルトに帯電される。  
第一感光体２０ａの帯電された領域は、第一感光体２０ａの回転に伴って露光位置に至り、第一露光ユニット４０ａによって、潜像が該領域に形成される。すなわち、該領域が前記白像部に相当する部分であれば当該領域にレーザーが照射される。この結果、Ｖ２＝５０ボルトの白像部に相当する部分とＶ１＝５００ボルトの黒像部に相当する部分とを有する潜像が第一感光体２０ａ上に形成される。
【００５３】
第一感光体２０ａ上に形成された潜像は、第一感光体２０ａの回転に伴って、第一対向ローラー５２ａと対向する対向位置に至る。一方で、前記表示面１２１及び前記裏側面１２３がそれぞれ第一感光体２０ａ側及び第一対向ローラー５２ａ側に位置する状態での電子ペーパー１００の第一間隙Ｇ１への供給が供給ユニット６０により行なわれ、電子ペーパー１００が、該第一間隙Ｇ１に位置することとなる。そして、電子ペーパー１００が該第一間隙Ｇ１に位置する状態で、第一電圧印加部５４ａによって第一対向ローラー５２ａに印加電圧が印加され、該第一間隙Ｇ１に電子ペーパー１００の厚み方向に沿う電界が発生する。そして、このことにより、潜像に対応する画像が電子ペーパー１００に表示される。
【００５４】
具体的には、第一電圧印加部５４ａは、図５に示すように、第一対向ローラー５２ａに、前記白像部に相当する部分における電位及び前記黒画像に相当する部分における電位のうち小さい方（本実施の形態においてはＶ２ボルト）よりも大きくて、大きい方（本実施の形態においてはＶ１ボルト）よりも小さいＶ３ボルトの直流印加電圧（本実施の形態においては、Ｖ１ボルトとＶ２ボルトの平均値であるＶ３＝２７５ボルト）を印加する。
【００５５】
前記黒像部に相当する部分が前記対向位置に位置する際に、当該印加が成されると、第一感光体２０ａ側（上側）がＶ１＝５００ボルト、第一対向ローラー５２ａ側（下側）がＶ３＝２７５ボルトとなるため、図２の左図に示したように、下向き（電子ペーパー１００の上側絶縁層１４１から下側絶縁層１４２へ向かう向き）の電界が発生する。そして、当該電界の作用により、電子ペーパー１００内の負帯電黒色粒子が上側絶縁層１４１（表示面１２１）側に、正帯電白色粒子が下側絶縁層１４２側に、それぞれ移動するため、電子ペーパー１００の前記間に位置する部位には、黒像が表示されることとなる（当該部位が、黒像部となる）。一方、前記白像部に相当する部分が前記対向位置に位置する際に、当該印加が成されると、第一感光体２０ａ側（上側）がＶ２＝５０ボルト、対向ローラー５２側（下側）がＶ３＝２７５ボルトとなるため、図２の右図に示したように、上向き（電子ペーパー１００の下側絶縁層１４２から上側絶縁層１４１へ向かう向き）の電界が発生する。そして、当該電界の作用により、電子ペーパー１００内の正帯電白色粒子が上側絶縁層１４１（表示面１２１）側に、負帯電黒色粒子が下側絶縁層１４２側に、それぞれ移動するため、電子ペーパー１００の前記間に位置する部位には、白像が表示されることとなる（当該部位が、白像部となる）。つまり、潜像の前記黒像部に相当する部分が前記対向位置に位置する際には電子ペーパー１００は黒像を表示し、潜像の前記白像部に相当する部分が前記対向位置に位置する際には電子ペーパー１００は白像を表示することとなるため、黒像部に相当する部分及び白像部に相当する部分を有する潜像が電子ペーパー１００に転写（コピー）されることとなる。
【００５６】
このように、本実施の形態においては、第一電圧印加部５４ａが、第一対向ローラー５２ａに印加電圧を印加することにより、第一感光体２０ａと第一対向ローラー５２ａとの間に厚み方向に沿う電界を発生させ、着色帯電粒子を厚み方向に移動させることにより電子ペーパー１００に潜像に対応する画像を表示させる。すなわち、コントローラー８０は、直流印加電圧の大きさを、黒画像に相当する部分における電位（Ｖ１ボルト）よりも小さくて白像部に相当する部分における電位（Ｖ２ボルト）よりも大きい値であるＶ３ボルトに制御して、第一電圧印加部５４ａが、Ｖ３ボルトの印加電圧を印加する。そして、このことにより、第一電圧印加部５４ａは、第一感光体２０ａの黒画像に相当する部分と第一対向ローラー５２ａとの間に発生する電界の方向及び当該電界による負帯電黒色粒子（正帯電白色粒子）の移動方向と、第一感光体２０ａの白像部に相当する部分と第一対向ローラー５２ａとの間に発生する電界の方向及び当該電界による負帯電黒色粒子（正帯電白色粒子）の移動方向と、を逆転させることにより、電子ペーパー１００に潜像に対応する白黒の画像を表示させる。
【００５７】
そして、上述した画像を表示させるための動作は継続して実行される。すなわち、コントローラー８０は、前記表示面１２１及び前記裏側面１２３がそれぞれ第一感光体２０ａ側及び第一対向ローラー５２ａ側に位置する状態での電子ペーパー１００の第一間隙Ｇ１への供給を供給ユニット６０に行なわせることにより、電子ペーパー１００の互いに異なる部位を第一間隙Ｇ１に順次送り込み、かつ、前記第一潜像を第一帯電ユニット３０ａ及び第一露光ユニット４０ａに形成させ、第一電圧印加部５４ａを制御することにより第一間隙Ｇ１に送り込まれた前記部位に第一潜像に対応する画像を順次表示させる処理（以下、第一処理と呼ぶ）を実行する。このことにより、当該第一間隙Ｇ１において、電子ペーパー１００の前記部位に、潜像に対応する画像が順次表示される（電子ペーパー１００に潜像が順次転写される）。
【００５８】
ところで、本実施の形態（本件例）においては、第一記録部１０ａによる前記第一処理を行なった後に、第二記録部１０ｂによる第二処理（後に詳述する）が行なわれるが、比較例（例えば、従来例）においては、記録部は一つしか設けられておらず、前記第一処理により電子ペーパーに画像が表示されると、電子ペーパーへの画像記録処理は終了し、電子ペーパーは排紙ローラーにより画像記録装置から排出されていた。
【００５９】
そして、かかる比較例においては、画像の形状によっては、画像が適切に記録されない場合があった。例えば、当該画像として、罫線を記録する際に、罫線が細く記録される場合があった。
【００６０】
以下では、本実施の形態に係る画像記録装置１の動作例の説明を中断して、先ず、比較例における当該問題について詳説する。そして、当該問題の説明後に、動作例の説明（主に、第二記録部１０ｂによる第二処理の説明）に戻る。
【００６１】
ここで、比較例における当該問題（以下、便宜上、不適切記録問題とも呼ぶ）が生ずる理由について、図６を用いて説明する。図６は、不適切記録問題を説明するための説明図である。
【００６２】
先ず、図６の上図に着目する。当該上図には、電子ペーパー１００に表示させる画像の一例であって、当該不適切記録問題が生じ得る画像が示されている。なお、当該画像は、便宜上、Ｘ方向には、白黒が変化するものの、Ｙ方向には、白黒の変化がない画像であることとしている。そして、このような画像を電子ペーパー１００に表示させるためには、図６の上中央図に示す潜像が形成されることとなる。すなわち、前述したとおり、前記白像部に相当する部分にレーザーが照射され、当該部分の電位がＶ１＝５００ボルトからＶ２＝５０ボルトとなり、Ｖ２＝５０ボルトの白像部に相当する部分とＶ１＝５００ボルトの黒像部に相当する部分とを有する潜像が感光体上に形成される。
【００６３】
ここで、記号Ａで示された部分に着目すると、当該部分Ａにおいては、微小な範囲（当該範囲を記号ａで示す）を残して、その両側においてレーザーが照射されることになる。そして、このようなケースにおいては、前記両側における照射に引きずられて、当該範囲ａにおける電位が下がってしまい得ることが知られている（どの程度下がるかは、露光ユニットの性能等に依存する）。つまり、前記両側においてレーザーが照射される場合には、当該微小な範囲ａを確実に残すのが難しく、実際には、図６の下中央図のように電位が下がってしまう（上中央図は理想の電位を表した図であり、下中央図は実際の電位を表した図である）。
【００６４】
なお、記号Ｂで示された部分は、微小な範囲ｂが存在する点で部分Ａと共通するが、部分Ａとは異なりレーザーの照射が当該微小な範囲ｂにおいて行なわれる。そして、このようなケースにおいては、前記不適切記録問題は発生しない。また、記号Ｃで示された部分は、ある範囲を残して、その両側においてレーザーが照射される点で部分Ｂと共通するが、部分Ａとは異なり当該範囲が微小な範囲ではない。そして、このようなケースにおいても、前記不適切記録問題は発生しない。
【００６５】
そして、図６の下中央図のように電位が下がってしまった場合には、前記微小な範囲ａの端部において電位がＶ３＝２７５Ｖよりも小さくなってしまうから（電位がＶ３＝２７５Ｖよりも大きい箇所が、前記微小な範囲ａの中央部のみになってしまうから）、図６の下図に示すように、画像における罫線Ｌが細くなってしまう（図６の上図と下図を参照。上図は表示されるべき画像を表した図であり、下図は実際に表示される画像を表した図である）。
【００６６】
このように、一つの記録部による一つの処理（第一処理）により電子ペーパーに画像が表示されると電子ペーパーへの画像記録処理が終了する比較例においては、不適切記録問題が生ずる可能性がある。そこで、本実施の形態に係る画像記録装置１においては、第一記録部１０ａによる第一処理を行なって電子ペーパー１００に画像を一旦表示させた後に、第二記録部１０ｂにおける第二処理を行なって電子ペーパー１００に画像を再度表示させる。そして、このようにすることによって、第一処理が行なわれた結果、不適切な記録が生じたとしても、第二処理により当該不適切な記録が軽減されることとなる（つまり、第二記録部１０ｂは不適切な記録を修復させる機能を有する）。以下では、動作例の説明に戻って、第二記録部１０ｂによる第二処理について説明する。そして、その後、どうして第二処理により、不適切な記録が軽減されるかについて説明する。
【００６７】
コントローラー８０は、前述したとおり、表示面１２１及び裏側面１２３がそれぞれ第一感光体２０ａ側及び第一対向ローラー５２ａ側に位置する状態での電子ペーパー１００の第一間隙Ｇ１への供給を供給ユニット６０に行なわせることにより、電子ペーパー１００の互いに異なる部位を第一間隙Ｇ１に順次送り込み、かつ、第一潜像を第一帯電ユニット３０ａ及び第一露光ユニット４０ａに形成させ、第一電圧印加部５４ａを制御することにより第一間隙Ｇ１に送り込まれた前記部位に第一潜像に対応する画像を順次表示させる第一処理を実行するが、その後、前記表示面１２１及び前記裏側面１２３がそれぞれ第二対向ローラー５２ｂ側及び第二感光体２０ｂ側に位置する状態での電子ペーパー１００の第二間隙Ｇ２への供給を供給ユニット６０に行なわせることにより、前記第一間隙Ｇ１を一旦抜けた前記部位を前記第二間隙Ｇ２に順次送り込み、かつ、第一潜像を反転させた第二潜像を第二帯電ユニット３０ｂ及び第二露光ユニット４０ｂに形成させ、第二電圧印加部５４ｂを制御することにより第二間隙Ｇ２に送り込まれた前記部位に第二潜像に対応する画像を順次表示させる第二処理を実行する。
【００６８】
第二処理について、具体的に説明する。第二感光体２０ｂは、回転しながら、帯電位置において第二帯電ユニット３０ｂにより、順次Ｖ１＝５００ボルトに帯電される。
【００６９】
第二感光体２０ｂの帯電された領域は、第二感光体２０ｂの回転に伴って露光位置に至り、第二露光ユニット４０ｂによって、潜像が該領域に形成される。なお、前述したとおり、第二処理においては、第一処理において形成された第一潜像ではなく、第一潜像を反転させた第二潜像が形成される。すなわち、該領域が前記黒像部に相当する部分であれば当該領域にレーザーが照射される。この結果、Ｖ２＝５０ボルトの黒像部に相当する部分とＶ１＝５００ボルトの白像部に相当する部分とを有する潜像が第二感光体２０ｂ上に形成される。
【００７０】
第二感光体２０ｂ上に形成された潜像は、第二感光体２０ｂの回転に伴って、第二対向ローラー５２ｂと対向する対向位置に至る。一方で、電子ペーパー１００の第二間隙Ｇ２への供給が供給ユニット６０により行なわれ、電子ペーパー１００が、該第二間隙Ｇ２に位置することとなるが、第一処理においては、表示面１２１及び裏側面１２３がそれぞれ感光体２０側及び対向ローラー５２側に位置する状態での電子ペーパー１００の供給であったのに対し、第二処理においては、表示面１２１及び裏側面１２３がそれぞれ対向ローラー５２側及び感光体２０側に位置する状態での電子ペーパー１００の供給となる（以下、このことを、表示面、裏側面の逆転とも呼ぶ）。そして、電子ペーパー１００が該第二間隙Ｇ２に位置する状態で、第二電圧印加部５４ｂによって第二対向ローラー５２ｂに印加電圧が印加され、該第二間隙Ｇ２に電子ペーパー１００の厚み方向に沿う電界が発生する。そして、このことにより、潜像に対応する画像が電子ペーパー１００に再度表示される。
【００７１】
具体的には、第二電圧印加部５４ｂは、第二対向ローラー５２ｂに、第一処理（第一電圧印加部５４ａ）と同様、前記白像部に相当する部分における電位及び前記黒画像に相当する部分における電位のうち小さい方（本実施の形態においてはＶ２ボルト）よりも大きくて、大きい方（本実施の形態においてはＶ１ボルト）よりも小さいＶ３ボルトの直流印加電圧（本実施の形態においては、Ｖ１ボルトとＶ２ボルトの平均値であるＶ３＝２７５ボルト）を印加する（図５参照）。
【００７２】
第一処理においては、前述したとおり、前記黒像部に相当する部分が前記対向位置に位置する際に、当該印加が成されると、第一感光体２０ａ側（上側）がＶ１＝５００ボルト、第一対向ローラー５２ａ側（下側）がＶ３＝２７５ボルトとなるため、図２の左図に示したように、下向き（電子ペーパー１００の上側絶縁層１４１から下側絶縁層１４２へ向かう向き）の電界が発生していたが、第二処理においては、第一処理と比べて、潜像の反転（逆転）と表示面、裏側面の逆転が生じている。したがって、第二処理において、前記黒像部に相当する部分が前記対向位置に位置する際に、当該印加が成されると、第二感光体２０ｂ側（上側ではなく下側）がＶ１＝５００ボルトでなくＶ２＝５０ボルト、第二対向ローラー５２ｂ側（下側でなく上側）がＶ３＝２７５ボルトとなるため、第一処理と同様（図２の左図参照）、下向き（電子ペーパー１００の上側絶縁層１４１から下側絶縁層１４２へ向かう向き）の電界が発生することとなる（二つの「逆転」が生じているため、元に戻って、電界の向きは第一処理と同じになる）。そして、当該電界の作用により、電子ペーパー１００内の負帯電黒色粒子が上側絶縁層１４１（表示面１２１）側に、正帯電白色粒子が下側絶縁層１４２側に、それぞれ移動するため、電子ペーパー１００の前記間に位置する部位には、黒像が表示されることとなる（当該部位が、黒像部となる）。
【００７３】
前記白像部に相当する部分が前記対向位置に位置する場合についても同様であり、かかる際に、当該印加が成されると、第二感光体２０ｂ側（上側ではなく下側）がＶ２＝５０ボルトでなくＶ１＝５００ボルト、第二対向ローラー５２ｂ側（下側ではなく上側）がＶ３＝２７５ボルトとなるため、第一処理と同様（図２の右図参照）、上向き（電子ペーパー１００の下側絶縁層１４２から上側絶縁層１４１へ向かう向き）の電界が発生する。そして、当該電界の作用により、電子ペーパー１００内の正帯電白色粒子が上側絶縁層１４１（表示面１２１）側に、負帯電黒色粒子が下側絶縁層１４２側に、それぞれ移動するため、電子ペーパー１００の前記間に位置する部位には、白像が表示されることとなる（当該部位が、白像部となる）。
【００７４】
このように、第二処理においては、第二電圧印加部５４ｂが、第二感光体２０ｂと第二対向ローラー５２ｂとの間に厚み方向に沿う電界を発生させ、着色帯電粒子を厚み方向に移動させることにより電子ペーパー１００に潜像に対応する画像を、第一処理における表示に引き続いて再表示させる。そして、第一処理と同様、潜像の前記黒像部に相当する部分が前記対向位置に位置する際には電子ペーパー１００は黒像を表示し、潜像の前記白像部に相当する部分が前記対向位置に位置する際には電子ペーパー１００は白像を表示することとなるため、黒像部に相当する部分及び白像部に相当する部分を有する潜像が電子ペーパー１００に転写（コピー）されることとなる。
【００７５】
そして、第二処理による画像再表示が完了した電子ペーパー１００は、排紙ローラーによって、画像記録装置１から排出される。
【００７６】
＜＜＜第二処理により不適切な記録が軽減される理由について＞＞＞
上述したとおり、第二処理においては、第一処理と同様、潜像の黒像部に相当する部分が電子ペーパー１００に転写されて、黒像として電子ペーパー１００に表示され、潜像の白像部に相当する部分が電子ペーパー１００に転写されて、白像として電子ペーパー１００に表示される（つまり、同様の画像記録処理が二回行なわれている）。しかしながら、第二処理においては、潜像の反転（逆転）と表示面、裏側面の逆転が生じている点で、第一処理とは異なっている。そして、第二処理においては、当該二つの「逆転」のうちの潜像の反転が要因となって、前述した不適切な記録が軽減されることとなる。
【００７７】
図６及び図７を用いて、さらに詳細に説明する。図７は、不適切な記録が軽減される理由を説明するための説明図である。
【００７８】
図７の上図は、既に説明した図６の上図と同じものであり、電子ペーパー１００に表示させる画像の一例を表している。そして、第二処理においては、このような画像を電子ペーパー１００に表示させるために、第一処理とは異なり、図６の上中央図に示した第一潜像を反転させた第二潜像（図７の上中央図参照）が形成されることとなる。すなわち、前述したとおり、前記黒像部に相当する部分にレーザーが照射され、当該部分の電位がＶ１＝５００ボルトからＶ２＝５０ボルトとなり、Ｖ２＝５０ボルトの黒像部に相当する部分とＶ１＝５００ボルトの白像部に相当する部分とを有する潜像が感光体上に形成される。
【００７９】
ここで、再度、記号Ａで示された部分に着目する。第一処理においては、図６の上中央図及び下中央図で示したとおり、微小な範囲ａを残して、その両側においてレーザーが照射されることとなっていたため、当該範囲ａにおいて電位が下がってしまい、このことが不適切な記録の原因となっていた。しかしながら、第二処理においては、潜像を反転させたため、図７の上中央図及び下中央図に示すように、当該微小な範囲ａにおいてレーザーの照射が行なわれることとなる（すなわち、図６の記号Ｂで示された部分と同様になる）。したがって、第二処理においては、記号Ａで示された部分において、前記不適切記録問題は生じない。
【００８０】
このように、本実施の形態においては、前述した比較例とは異なり、第一処理と第二処理を行い、双方の処理の一方では、記号Ａで示された部分において、不適切な記録が成されるものの、他方では、適切な記録が成される。そのため、前記他方の処理の適切な記録が前記一方の処理の不適切記録問題をカバーすることとなり、記号Ａで示された部分における不適切な記録が軽減され、双方の処理が終了した際の画像の画質は、前記比較例と比べて、より良いものとなる。
【００８１】
なお、第二処理において適切な記録が成されるのであれば、第一処理を行なわずに第二処理だけを行なう（換言すれば、第一記録部１０ａ及び第二記録部１０ｂのうちの後者のみしかない画像記録装置で、電子ペーパー１００への画像記録を行なう）ようにすればよいのでは（以下、第二比較例とも呼ぶ）という疑問が生じ得るかもしれないが、これは、以下に説明するように正しくない。
【００８２】
すなわち、第二処理においては、記号Ａで示された部分における不適切記録問題は生じないが、代わりに、記号Ｂで示された部分において、当該不適切記録問題が生じ得る。つまり、第二処理においては、潜像を反転させたため、図７の上中央図及び下中央図に示すように、当該微小な範囲ｂを残して、その両側においてレーザーが照射されることとなる（すなわち、図６の記号Ａで示された部分と同様になる）。そのため、当該範囲ｂにおいて電位が下がってしまい、このことが不適切な記録の原因となってしまう（図７の下図に示すように、線状の空白部の幅が狭くなってしまう）。
【００８３】
これに対し、本実施の形態においては、第二比較例とは異なり、第一処理と第二処理を行い、双方の処理の一方では、記号Ｂで示された部分において、不適切な記録が成されるものの、他方では、適切な記録が成される。そのため、前記他方の処理の適切な記録が前記一方の処理の不適切記録問題をカバーすることとなり、記号Ｂで示された部分における不適切な記録が軽減され、双方の処理が終了した際の画像の画質は、前記第二比較例と比べて、より良いものとなる。
【００８４】
以上の通り、本実施の形態に係る画像記録装置１においては、コントローラー８０が、前述した第一処理及び第二処理を実行することにより、電子ペーパー１００に記録される画像の画質を向上させることができる。
【００８５】
＝＝＝その他の実施の形態＝＝＝
上記の実施の形態は、主として電子ペーパーへの画像記録装置について記載されているが、電子ペーパーへの画像記録方法等の開示も含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００８６】
また、上記実施の形態においては、着色帯電粒子として正帯電白色粒子と負帯電黒色粒子を例に挙げて説明したが、これに限定されるものではない。
【００８７】
例えば、白色粒子が負帯電であり、黒色粒子が正帯電であってもよい。また、色については、白色、黒色に限定されるものではなく、双方の色が異なっていればどのような色であってもよい。例えば、赤色、青色、緑色などの有彩色や、金色、銀色等の金属光沢色から目的に合わせて適宜選択することができる。また、二色の粒子のうちの片方のみが帯電していて他方が帯電していない（無帯電である）場合（例えば、白色粒子が無帯電であるため、着色帯電粒子としては負帯電黒色粒子のみが存在する場合）であってもよく、このような場合にも本発明を適用できる。
【００８８】
また、上記実施の形態においては、電子ペーパー１００の上側絶縁層１４１が光透過性を有する（実質的に透明である）一方で、下側絶縁層１４２は光透過性を有さない（実質的に不透明である）こととしたが、これに限定されるものではない。例えば、上側絶縁層１４１と下側絶縁層１４２の双方が光透過性を有する（実質的に透明である）こととしてもよく、この場合には、上側絶縁層１４１と下側絶縁層１４２のいずれをも表示面１２１とすることが可能となる。
【００８９】
また、上記実施の形態においては、印加電圧が直流印加電圧であることとしたが、これに限定されるものではなく、印加電圧は、交流印加電圧であることとしてもよい。なお、本明細書において、印加電圧の値とは、当該印加電圧が交流印加電圧である場合には、交流印加電圧の平均値を意味するものとする。
【００９０】
また、上記実施の形態においては、前記第一処理において、前記表示面１２１及び前記裏側面１２３がそれぞれ感光体２０側及び前記対向ローラー５２側に位置する状態での電子ペーパー１００の前記間への供給を行なわせ、前記第二処理において、前記表示面１２１及び前記裏側面１２３がそれぞれ対向ローラー５２側及び感光体２０側に位置する状態での電子ペーパー１００の前記間への供給を行なわせる目的のために、以下のようにした。すなわち、第一処理において、第一感光体２０ａとこれよりも下方に位置する第一対向ローラー５２ａとの間である第一間隙Ｇ１への電子ペーパー１００の供給を行なわせ、第二処理において、第二感光体２０ｂとこれよりも上方に位置する第二対向ローラー５２ｂとの間である第二間隙Ｇ２への電子ペーパー１００供給を行なわせた。しかし、前記目的を実現するための方策は、これに限定されるものではなく、以下のような例（以下、第二実施形態とも呼ぶ）も考えられる。
【００９１】
すなわち、図８に示すように、供給ユニット６０が、表示面１２１及び裏側面１２３がそれぞれ感光体２０側及び対向ローラー５２側に位置する状態での電子ペーパー１００の前記間（記号Ｂで示される箇所）への供給を行なってから（当該供給が行なわれた後の電子ペーパー１００は不図示の誘導部により矢印Ｑに示す搬送方向に誘導される）、該電子ペーパー１００を裏返して（供給ユニット６０に設けられた裏返し部９２により裏返される。裏返し部９２の機構は公知のものでよい。このとき、電子ペーパー１００の進行方向における下流側の端が、裏返された後でも依然下流側の端となるように（裏返された後に上流側の端となることのないように）裏返される）、表示面１２１及び裏側面１２３がそれぞれ対向ローラー５２側及び感光体２０側に位置する状態（裏返したことによりこのような状態となる）での前記電子ペーパーの前記間（これも、記号Ｂで示される箇所）への供給を行なうこととしてもよい（当該供給が行なわれた後の電子ペーパー１００は不図示の誘導部により矢印Ｐに示す搬送方向に誘導され、排紙ローラーにより排出される）。
【００９２】
そして、第一実施形態と第二実施形態とを比較した場合には、前者は、裏返し部を設けなくてよい点で、後者は、記録部を一つのみにすることができる点で優位性を有する。
【００９３】
また、上記実施の形態においては、感光体２０よりも下方に対向ローラー５２が位置する第一記録部１０ａにより第一処理が、感光体２０よりも上方に対向ローラー５２が位置する第二記録部１０ｂにより第二処理が、それぞれ実行されることとしたが、これに限定されず、第二記録部１０ｂにより第一処理が、第一記録部１０ａにより第二処理が、それぞれ実行されることとしてもよい。
【符号の説明】
【００９４】
１  画像記録装置、１０  記録部、１０ａ  第一記録部、１０ｂ  第二記録部、２０  感光体、２０ａ  第一感光体、２０ｂ  第二感光体、３０  帯電ユニット、３０ａ  第一帯電ユニット、３０ｂ  第二帯電ユニット、３２  帯電ローラー、３２ａ  第一帯電ローラー、３２ｂ  第二帯電ローラー、４０  露光ユニット、４０ａ  第一露光ユニット、４０ｂ  第二露光ユニット、５０  電界生成ユニット、５０ａ  第一電界生成ユニット、５０ｂ  第二電界生成ユニット、５２  対向ローラー、５２ａ  第一対向ローラー、５２ｂ  第二対向ローラー、５４  電圧印加部、５４ａ  第一電圧印加部、５４ｂ  第二電圧印加部、６０  供給ユニット、６２  ペーパーカセット、６４  給紙ローラー、６６  搬送ローラー、８０  コントローラー、８１  インターフェイス部、８２  ＣＰＵ、８３  メモリー、８４  ユニット制御回路、９２  裏返し部、１００  電子ペーパー、１０３  表示層、１０７  封止部、１２１  表示面、１２３  裏側面、１３１  マイクロカプセル、１３２  バインダ、１３３  カプセル本体、１４１  上側絶縁層、１４２  下側絶縁層
【図１】
2011237540.tif 000003
【図２】
2011237540.tif 000004
【図３】
2011237540.tif 000005
【図４】
2011237540.tif 000006
【図５】
2011237540.tif 000007
【図６】
2011237540.tif 000008
【図７】
2011237540.tif 000009
【図８】
2011237540.tif 000010